(57)【要約】      （修正有）【課題】例えば筐体を分割することなく、フィンが多数枚であっても軸支部材と共に筐体内への組込操作性を良好に維持できるようにする。【解決手段】回転可能に支持された複数のフィン４、及びフィンの向きを調整可能にする操作部６やギア機構を配設している略円筒状筐体１と、筐体を内側に配置しているケースとを備えた風向調整装置において、フィン４は、筐体内周側の外側枢支部４４及び筐体中心軸線側の内側枢支部４５を支点として回動可能に支持されると共に内側枢支部４５付近に設けられたギア部４６を有している。前記ギア機構は、操作部６とシャフト５を介して一体に回転されて各フィン４のギア部４６と噛み合っている歯車５０を有している。筐体１は、筐体中心軸線上に設けられて、各フィン４の内側枢支部４５と嵌合する連結部７３、シャフト５を挿通する貫通孔７１とを形成している軟質の軸支部材７を有している。【選択図】図５
2018002041.tif 000002
【特許請求の範囲】
【請求項１】
回動可能に支持された複数のフィン、及び前記フィンの向きを調整可能にする操作部やギア機構を配設している概略円筒状の筐体と、前記筐体を内側に配置しているケースとを備えた風向調整装置において、
前記フィンは、筐体内周側の外側枢支部及び筐体中心軸線側の内側枢支部を支点として回動可能に支持されると共に、前記内側枢支部付近に設けられたギア部を有し、
前記ギア機構は、前記操作部とシャフトを介して一体に回転されて前記各フィンのギア部と噛み合っている歯車を有し、
前記筐体は、筐体中心軸線上に設けられて、前記各フィンの内側枢支部と嵌合する連結部、及び前記シャフトを串差し状に挿通する貫通孔を形成している軟質の軸支部材を有していることを特徴とする風向調整装置。
【請求項２】
前記筐体の外周面は、概略凸状球面に形成されると共に、前記凸状球面の周囲を略等分する箇所に突設された複数の突起を有し、
前記ケースの内周面は、一部が前記凸状球面に対応した概略凹状球面に形成されると共に、前記突起に対応して設けられた凹所及び前記凹所に配設されて前記突起と摺動可能に嵌合する凹状の溝を区画形成している軟質のスペーサを有しており、
前記筐体が前記突起を前記スペーサの溝に嵌合した状態で前記ケースに対し上下左右に傾動調整されることを特徴とする請求項１に記載の風向調整装置。
調整装置。
【請求項３】
前記軸支部材の連結部は軸部であり、前記フィンの内側枢支部は前記軸部と嵌合可能であると共に周囲に前記ギア部を形成している筒部であることを特徴とする請求項１又は２に記載の風向調整装置。
【請求項４】
前記操作部及び前記軸支部材の対向端面には、一方側に設けられた凸部と、他方側に設けられて前記凸部と係脱する複数の係合部とが設けられており、前記操作部の回転により前記凸部と係合する前記係合部を切り換えて前記フィンの向きを可変することを特徴とする請求項１から３のいずれかに記載の風向調整装置。
【請求項５】
前記係合部は、前記各フィンが前記筐体中心軸線に対し、略平行に配置されたときに前記凸部と係合する第１係合部、略斜めに配置されたときに前記凸部と係合する第２係合部、略直角に配置されたときに前記凸部と係合する第３係合部を有していることを特徴とする請求項４に記載の風向調整装置。
【請求項６】
前記軸支部材を前記操作部側へ付勢している付勢部材を有していることを特徴とする請求項１から５のいずれかに記載の風向調整装置。
【請求項７】
前記凹所及び前記スペーサは、周囲略等分した４箇所に設けられており、前記凹状の溝の溝幅寸法が異なる２種のもので構成されていることを特徴とする請求項２から６のいずれかに記載の風向調整装置。
【請求項８】
前記ケースは、前ケース及び後ケースに分割されており、前記凹所及び前記スペーサが前記前後ケースを跨いで配置されていることを特徴とする請求項２から７のいずれかに記載の風向調整装置。
【発明の詳細な説明】
【技術分野】
【０００１】
本発明は、冷暖設備や空調設備等において、空気導入口から空気吹出口側に向かう空気の流れを複数のフィンにより可変調整可能にした風向調整装置に関する。
【背景技術】
【０００２】
図１１（ａ），（ｂ）は特許文献１に開示されたものである。この風向調整装置（同文献ではレジスタ）は、例えば、自動車のインストルメントパネルに設けられる空調吹出口を構成しており、複数のフィン２３、及び各フィンの向きを調整可能にする操作部６やギア機構５を配設している筐体（同文献ではフレーム）２０と、筐体２０を内部に配置しているケース（同文献ではリテーナ）１とを備えたタイプである。
【０００３】
同図において、各フィン２３は、筐体内周側の外側支軸２４及び筐体中心軸線側に設けられた中央軸支部３の軸支部４を支点として回動可能に支持されている。ギア（ベベルギア）機構５は、軸支部４と嵌合している各フィン基端側筒部２７に設けられたギア部（同文献ではベベルギア片）２５、及び操作部６と一体に回転されて各フィンのギア部２５と噛み合っている歯車（同文献ではベベルギア部）５１からなる。歯車５１は、軸部５２を介して操作部６と連結されており、操作部６の回転により同方向に回転される。また、中央軸支部３は、背面側を開口した空洞に配された弾性体からなる荷重付与部材７と、五角形の各面に突設した軸支部４と、前面に突設した中央軸３１とを有している。この中央軸支部３１は、ケース１の後側支持枠１２に保持されたボールジョイント８のボール８１が荷重付与部材７に嵌合した状態に支持され、ボール８１を支点として上下左右の任意の角度に自在に可変される。各軸支部４は対応するフィンの筒部２７と嵌合されている。中央軸３１は歯車５１の軸部５２内に嵌入されている。
【０００４】
そして、同（ａ）は、各フィン２３が筐体の中心軸線Ｓ１に対し略平行に配置された通常通風状態である。各フィン２３は、操作部６の回転操作により歯車５１が回転されると共に、各フィン２３が歯車５１と噛み合っているギア部２５を介して回転されて、中心軸線Ｓ１に対し略斜めに配置された拡散通風状態や略直角に配置された閉鎖状態に切り換えられる。また、筐体２は、ケース１に対してボールジョイントのボール８１を支点として上下左右の任意の向きに可変調整可能となっている。
【０００５】
一方、図１２（ａ），（ｂ）は、以上の筐体をケースに対し上下左右の任意の向きに可変調整する場合の他の従来例として、特許文献２のものを示している。この構造において、ケース１には、部分凹状球面１１が内周面に設けられると共に、内周面の対向位置に１対の摺動溝１２，１３が中心線と略平行に形成される。筐体３には、部分凸状球面３ａが外周面に設けられると共に、外周面にあって摺動溝１２，１３に嵌合される支軸２８，２９及びケース内周面に接触可能な突起３４，３５が形成されている。以上の構造において、筐体３を上下左右任意の方向に回動操作したとき、支軸２８，２９を中心に筐体３が回動すると共に、支軸２８，２９が摺動溝１２，１３内で移動し、筐体全体が中心線上の中心点を中心に回動する。
【先行技術文献】
【特許文献】
【０００６】
【特許文献１】特開２０１４−８８１１５号公報
【特許文献２】特開２０１４−１７２５４９号公報
【発明の概要】
【発明が解決しようとする課題】
【０００７】
上記特許文献１の構造では、空気が各フィンの角度に応じた向き、或いは旋回流として空気吹出口から吹き出されるためそれなりにマイルドな風当たりが得られるが、以下のような点から未だ満足できないものとなっている。
（ａ）、筐体２としては、前側部分２１及び後側部分２２に分割されて部品数が多く組付け工数も必要となる。この対策として、筐体２を単一部品として簡略化した場合、今度は各フィン２６を中央軸支部３に支持した状態で筐体内に組み込むことが難しくなる。すなわち、各フィン２６は、中央軸支部３に対して筒部２７と軸支部４の嵌合を介して組付けた状態で、中央軸支部３と共に筐体２の内側に押し込んで各フィンの外周の支軸２４を筐体内周面の対応する凹部又は軸穴に嵌合しなければならない。しかし、各支軸２４は、筐体内周面の対応する凹部又は軸穴に嵌合しようとしても、筐体対応部分が外側へ変位し難いため不可能か組立作業性が悪くなる。
【０００８】
（ｂ）、筐体２は、ケース１に対してボールジョイントのボール８１を支点として上下左右の任意の向きに可変調整可能となっている。この支持構造については、筐体２とケース１内面が非接触で、ボールジョイントの先端ボール８１を中心に傾動するので、従来装置のように外枠の内側球体と内枠の外側球面の接触による回動支持に比べて寸法誤差に起因した操作荷重のばらつきやゴリゴリ感が発生せず、安定した滑らかな操作フィーリングが得られると説明されている。しかし、この支持構造では、ボールジョイント８を支える後側支持枠１２が空気流路の中央にあるため通風状態を乱す要因となるだけではなく、剛性確保が難しい。剛性が不足すると、筐体を上下左右に傾動する首振り操作時に回転の動き以外に軸振れの動きがでて質感が劣る。また、筐体を少しの角度だけ首振り操作しようとすると、回転せずに軸振れ分だけ動いてしまう虞がある。
【０００９】
（ｃ）、なお、特許文献２の支持構造において、摺動部としてがたつきなく、かつ適度な抵抗を持たせて滑らかな作動を実現するためには、ケース内周面の摺動溝１２，１３と筐体外周面の支軸２８，２９、ケース内周面と筐体外周面の突起３４，３５について相当高度な寸法管理が必要となる。また、初期は滑らかであっても経年変位によりがたつきが発生する虞もある。
【００１０】
本発明の目的は、以上のような課題を解消して、風向調整に優れるだけではなく、筐体を分割することなく、フィンが多数枚であっても軸支部材と共に筐体内への組込操作性を良好に維持できるようにすることにある。他の目的は、ケースに対する筐体の支持構造として、特許文献２に比べ滑らかな作動を実現しながら寸法管理を多少なりとも緩和できるようにすることにある。更に他の目的は以下の内容説明のなかで明らかにする。
【課題を解決するための手段】
【００１１】
上記目的を達成するため本発明は、形態例を参照して特定すると、回動可能に支持された複数のフィン（４）、及び前記フィンの向きを調整可能にする操作部（６）やギア機構を配設している概略円筒状の筐体（１）と、前記筐体を内側に配置しているケース（２）とを備えた風向調整装置において、前記フィン（４）は、筐体内周側の外側枢支部（４４）及び筐体中心軸線（Ｎ）側の内側枢支部（４５）を支点として回動可能に支持されると共に、前記内側枢支部（４５）付近に設けられたギア部（４６）を有し、前記ギア機構は、前記操作部（６）とシャフト（５）を介して一体に回転されて前記各フィンのギア部と噛み合っている歯車（５０）を有し、前記筐体（１）は、筐体中心軸線上に設けられて、前記各フィンの内側枢支部（４５）と嵌合する連結部（７３）、前記シャフト（５）を串差し状に挿通する貫通孔（７１）とを形成している軟質の軸支部材（７）を有していることを特徴としている。
【００１２】
以上の本発明において、『フィン』は、筐体内周側の外側枢支部（４４）及び筐体中心軸線側の内側枢支部（４５）を支点として回動可能、つまりラジアル方向の枢軸線を支点として回動可能となっていればよい。フィンの枚数は２以上にて構成されている。また、『軟質の軸支部材』とは、軸支部材がフィン、シャフト、操作部よりも軟質ないしは柔らかくなっている構成であり、材質的には形態例で採用した軟質樹脂成形体に限られず、ゴム成形体等でも差し支えない。『嵌合』とは、互いに回転ないしは回動可能に嵌り合っている関係をいう。
【００１３】
以上の本発明は、請求項２〜８で特定したように具体化されることがより好ましい。
(１)、前記筐体の外周面は、概略凸状球面に形成されると共に、前記凸状球面の周囲を略等分する箇所に突設された複数の突起（１７）を有し、前記ケースの内周面は、一部が前記凸状球面に対応した概略凹状球面に形成されると共に、前記突起に対応して設けられた凹所（２３ａ，２３ｂ）及び前記凹所に配設されて前記突起と摺動可能に嵌合する凹状の溝（３１）を区画形成している軟質のスペーサ（３Ａ，３Ｂ）を有しており、前記筐体が前記突起を前記スペーサの溝に嵌合した状態で前記ケースに対し上下左右に傾動調整される構成である（請求項２）。なお、『軟質のスペーサ』とは、スペーサがケースよりも軟質ないしは柔らかくなっている構成であり、材質的には軟質樹脂成形体に限られず、ゴム成形体等でも差し支えない。
【００１４】
(２)、前記軸支部材の連結部は軸部（７３）であり、前記フィンの内側枢支部は前記軸部と嵌合可能であると共に周囲に前記ギア部（４６）を形成している筒部４５からなる構成である（請求項３）。
(３)、 前記操作部（６）及び前記軸支部材（７）の対向端面には、一方側に設けられた凸部（７５）と、他方側に設けられて前記凸部と係脱する複数の係合部（６５ａ，６５ｂ，６５ｃ）とが設けられており、前記操作部の回転により前記凸部と係合する前記係合部を切り換えて前記フィンの向き可変する構成である（請求項４）。
【００１５】
（５）、前記係合部は、前記各フィンが前記筐体中心軸線（Ｎ）に対し、略平行に配置されたときに前記凸部と係合する第１係合部（６５ａ）、略斜めに配置されたときに前記凸部と係合する第２係合部（６５ｂ）、略直角に配置されたときに前記凸部と係合する第３係合部（６５ｃ）を有している構成である（請求項５）。ここで、各係合部は、形態例のごとく３つで構成して、操作部を回転して凸部と係合する係合部を順に切り換えることにより、各フィンを図８の通常通風状態と図９の拡散通風状態の間で切り換えたり、更に図９の拡散通風状態と図１０の閉鎖状態の間で切り換えることが操作の簡明性の点から好ましい。
【００１６】
（６）、前記軸支部材を前記操作部側へ付勢している付勢部材（８）を有している構成である（請求項６）。
（７）、前記凹所（２３ａ，２３ｂ）及び前記スペーサ（３Ａ，３Ｂ）は、周囲略等分した４箇所に設けられており、前記凹状の溝の溝幅寸法が異なる２種のものからなる構成である（請求項７）。
（８）、前記ケース（２）は、前ケース（２５）及び後ケース（２０）に分割されており、前記凹所及び前記スペーサが前記前後ケースを跨いで配置されている構成である（請求項８）。
【発明の効果】
【００１７】
請求項１の発明では、特に、図５に例示されるごとく筐体の中心軸線上に設けられる軸支部材を有し、その軸支部材が軟質に形成されると共に、各フィンの内側枢支部と嵌合する連結部及びシャフトを串差し状に挿通する貫通孔を形成していることにより、各フィン及び軸支部材の筐体内への組付け操作性を良好にでき、組立後はがたつきを抑えたり不用意な外れを解消できる。すなわち、各フィン及び軸支部材は、図５（ｂ）のごとく連結部及び内側軸支部の嵌合状態で筐体内に組付けられる。その際は、軸支部材が貫通孔の存在で撓んで筐体内に比較的容易に組み込まれる。その後、軸支部材は、シャフトが貫通孔に挿通されると撓み難くなり、各フィンのがたつきが抑えられて外れ難くなる。
【００１８】
請求項２の発明では、筐体が筐体外周の突起及びケース内周面の溝の嵌合を介してケースに対し上下左右に傾動調整される構造において、ケース内周面に設けられた凹所に配設されて突起と摺動可能に嵌合する凹状の溝を区画形成している軟質のスペーサを有していることにより、突起の当て荷重が均一化し易くなったり当て荷重に偏りが少なくなって傾動調整操作を滑らかにでき、傾動作動特性を向上できる。勿論、軟質のスペーサをケースに後付けするため、ケース自体を軟質にする場合に比べ剛性確保が容易となり、良好な質感を維持できる。
【００１９】
請求項３の発明では、各フィンが内側枢支部として筒部を有し、該筒部の周囲部分にギア部を形成することでギア部を精度よく形成容易となる。また、軸支部材の連結部である軸部と筒部との嵌合も簡明なものとなる。
【００２０】
請求項４の発明では、操作部の回転操作により凸部と係合する係合部を切り換えてフィンの向きを可変するため、回転操作時の節度感やクリック感が得られ、それにより回転操作性が良好となり高級感を付与できる。
【００２１】
請求項５の発明では、請求項４の発明において、各フィンが図８の通常通風状態、図９の拡散通風状態、図１０の閉鎖状態と順に切り換えられたり、逆に図１０の閉鎖状態、図９の拡散通風状態、図８の通常通風状態に順に切り換えられることから通風状態の選択切り換えを簡明にできる。
【００２２】
請求項６の発明では、軸支部材を操作部側へ付勢している付勢部材により操作部と軸支部材との間の遊びを吸収してがたつきをなくしたり、付勢部材として最適な付勢力のもを選ぶことで操作部の回転力や当たりを最適化し易くなる。
【００２３】
請求項７の発明では、フィン等を内蔵した筐体が形態例のごとく４箇所の突起がケース内周面の対応する軟質からなるスペーサの溝に沿って摺動されることで、図７に例示したごとく初期姿勢状態、上下首振り状態、左右首振り状態に切り換えられる。この場合、各スペーサが凹状の溝幅寸法を突起と嵌合する狭いものと、突起と遊嵌する広いものとで構成されることにより、溝幅寸法が広い分に対応した多様な傾動状態が得られる。
【００２４】
請求項８の発明では、請求項２のごとく筐体外周面が凸状球面であり、ケース内周面がその凸状球面に対応した凹状球面になっていると、ケースを前後に分割しないと筐体をケース内に組込不可能となる。ケースを前後に分割した場合は、凹所及びスペーサを前後ケースを跨いで配置すると、境界の段差がスペーサにより吸収されて良好な作動を維持できる。
【図面の簡単な説明】
【００２５】
【図１】本発明形態の風向調整装置をフィンの通常通風状態で示し、（ａ）は正面図、（ｂ）は（ａ）のＡ−Ａ線断面図、（ｃ）は（ａ）のＢ−Ｂ線断面図である。
【図２】上記風向調整装置をフィンの拡散通風状態で示し、（ａ）は正面図、（ｂ）は側面図である。
【図３】上記風向調整装置をフィンの閉鎖状態で示し、（ａ）は正面図、（ｂ）は（ａ）のＡ１−Ａ１線断面図、（ｃ）は（ａ）のＢ１−Ｂ１線断面図である。
【図４】上記風向調整装置を構成しているフィン等を内蔵した筐体とケースとの関係を示す概略分解図である。
【図５】上記フィン等を内蔵した筐体の構成を示し、（ａ）はフィンと軸支部材及び歯車等の関係を示す分解図、（ｂ）は筐体とフィン等の関係を示す分解図である。
【図６】上記風向調整装置を構成している軸支部材と操作ノブの関係を示す分解図、（ｂ）は操作ノブを回転してフィン状態を切り換える前後の状態を示す構成図である。
【図７】上記ケースに対してフィン等を内蔵した筐体を傾動したときの態様を示し、（ａ）は筐体の初期姿勢状態を示し、（ｂ）は筐体の上下首振り状態を示し、（ｃ）は筐体の左右首振り状態を示す作動説明図である。
【図８】上記風向調整装置をケースを省略した通常通風状態で示し、（ａ）はその斜視図、（ｂ）は筐体を省略した斜視図、（ｃ）は筐体を省略した側面図である。
【図９】上記風向調整装置をケースを省略した拡散通風状態で示し、（ａ）はその斜視図、（ｂ）は筐体を省略した斜視図、（ｃ）は筐体を省略した側面図である。
【図１０】上記風向調整装置をケースを省略した閉鎖状態で示し、（ａ）はその斜視図、（ｂ）は筐体を省略した斜視図、（ｃ）は筐体を省略した側面図である。
【図１１】（ａ）と（ｂ）は特許文献１に開示の装置構造（同文献１の図４と図７）を示している。
【図１２】（ａ）と（ｂ）は特許文献２に開示の装置構造（同文献２の図１と図３）を示している。
【発明を実施するための最良の形態】
【００２６】
以下、本発明の形態例について添付した図面を参照しながら説明する。この説明では、風向調整装置の構造、組立要領を明らかにした後、主な作動に言及する。
【００２７】
（構造）形態例の風向調整装置は、図１から図５に示されるごとく、回動可能に支持される複数（この例では４枚）のフィン４、及び各フィン４の向きを調整可能にする操作部である操作ノブ６やギア機構（４６，５０）、並びに軟質の軸支部材７等を内側に配設している概略円筒状の筐体１と、後ケース２０及び前ケース２５並びに化粧枠２８にて区画される内側空間に筐体１を傾動調整可能に配置しているケース２と、前ケース２５及び後ケース（２０）の各内周面に跨いで設けられて筐体外周面の突起１７と嵌合したり遊嵌する凹状の溝３１を形成している軟質のスペーサ３Ａ，３Ｂとを備えている。
【００２８】
各部材を概説する。各フィン４は、外周側に設けられた外側枢支部である軸部４４及び内周側に設けられた内側枢支部である筒部４５を支点として回動可能に支持されると共に、筒部４５の周囲部分に設けられたギア部４６を有している。ギア機構は、そのギア部４６と、操作ノブ６に連結されるシャフト５の先端に設けられて各フィンのギア部４６と噛み合っている歯車５０を有している。軸支部材７は、筐体の中心軸線Ｎ上に保持されて、各フィンの筒部４５と嵌合する連結部である軸部７３、シャフト５を回動自在に串差し状に挿通する貫通孔７１等を形成している。また、シャフト５の軸周りに支持された状態で軸支部材７と歯車５０との間に設けられた付勢部材８を有している。以下、これらの細部を明らかにする。
【００２９】
まず、各部材の材質は、筐体１、ケース２を構成している前後ケース２５，２０及び化粧枠２８、スペーサ３Ａ，３Ｂ、各フィン４、歯車５０付きシャフト５、操作ノブ６、軸支部材７は全て樹脂成形体である。このうち、スペーサ３Ａ，３Ｂ及び軸支部材７は、軟質の樹脂成形体であり、他の部材（硬質系の樹脂成形体）に比べ軟質ないしは柔らかくなっている。付勢部材８は金属製である。
【００３０】
筐体１は、図１と図５及び図６に示されるごとく、内前端側が空気吹出口１ａで、内後端側が空気導入口１ｂに設定されていると共に、外周が略凸状球面で、内周が各フィン４が共通する筐体中心軸線Ｎを支点として回動可能な略凹状球面となっている。筐体１には、筐体外周にあって、径大となった前後略中間の周囲を等分する箇所に突出された４つの円柱状の突起１７と、突起１７より後側周囲を等分する箇所に貫通された外側枢支部である軸穴１８とが設けられている。筐体内には、前側中央部に配置された筒状の軸支部１４と、軸支部１４の後端面側に一体化した軸支部１４より一回り径小な筒状の軸支部１５と、軸支部１４と筐体内周面との間に介在された格子部１２，１３，１６と、後側内周面に突出されてフィン４の回動範囲を規制する規制突起１９（図１と図３の各（ｂ）を参照）とが設けられている。
【００３１】
軸支部１４は、操作ノブ６の筒部６２を差し込む略円筒状となっている。軸支部１５は、図１（ｂ），（ｃ）に示されるごとく軸支部材の筒部７１をこの筒内に挿入し抜け止めした状態で軸支部材７を回動自在に保持する。格子部１２は、軸支部１４の筒状より一回り大きなリング状となっており、筐体１の内周面との間に設けられた複数の棒状格子部１３により支持されている。軸支部１４は、格子部１２の内周面との間に設けられた複数の棒状格子部１６により支持されている。軸支部１４の筒内には、後述する操作ノブ６の筒部６２形状に対応して設けられた隙間を吸収する断面略三角形の内壁１４ａが筒方向に設けられている。
【００３２】
ケース２は、図１〜図３及び図４に示されるごとく、前ケース２５が後ケース２０に係合連結されると共に、化粧枠２８が前ケース２５に係合連結される。このうち、後ケース２０は、後側が円形筒部２０で、前側が前ケース２５と連結される球形筒部２１となっている。球形筒部２１は、内周面にあって周囲等分する箇所でそれぞれ一対づつ設けられた凹所２３ａ，２３ｂと、各凹所２３ａ，２３ｂに設けられて対応するスペーサ３Ａ，３Ｂを取り付ける係止穴２４ａと、端面の周囲等分する箇所に突出された４つの舌片に設けられた係止穴２４ｂと、各凹所２３ａ，２３ｂに対応して設けられた張出部２１ａ，２１ｂとを有している。凹所２３ａ同士及び凹所２３ｂ同士は対向している。凹所２３ａ及び張出部２１ａは、凹所２３ｂ及び張出部２１ｂに比べ幅寸法が小さい。
【００３３】
前ケース２５は、筒部２１に対応した球形となっており、内周面にあって周囲等分する箇所でそれぞれ一対づつ設けられた凹所２６ａ，２６ｂと、各凹所２６ａ，２６ｂに対応して設けられた張出部２５ａ，２５ｂとを有している。凹所２６ａ同士及び凹所２６ｂ同士は対向している。凹所２６ａ及び張出部２５ａは、凹所２６ｂ及び張出部２５ｂに比べ幅寸法が小さい。また、外周には、張出部２５ａと張出部２５ｂの間に設けられた対の係止凸部２７ｂと、係止凸部２７ｂ同士の間に突設されて後ケースの係止穴２４ｂに係合する係合凸部２７ａとを有している。各凹所２６ａ，２６ｂは、前後ケース２５，２０が係合凸部２７ａと係止穴２４ｂの係合により連結された状態で、後ケース２０の対応する凹所２３ａ，２３ｂと接続される。
【００３４】
化粧枠２８は、図１に示されるごとく前内側に設けられた略Ｖ形の受入部２８ａと、後端面にあって周囲等分する箇所に突設された合計４つの略逆Ｔ形の連結片２９とを有している。そして、化粧枠２８は、前ケース２５に対して各連結片２９が係止凸部２７ｂ同士の間に係合されて前ケース前端側を覆った状態に取り付けられる。この取付操作は、前ケース２５を後ケース２０に連結する前でも後でもよい。
【００３５】
スペーサ３Ａ，３Ｂは軟質の樹脂成形体からなる。スペーサ３Ａは凹所２３ａ及び凹所２６ａに対応した大きさ、スペーサ３Ｂは凹所２３ｂ及び凹所２６ｂに対応した大きさにそれぞれ形成されている。各スペーサ３Ａ，３Ｂは、筒部２１及び前ケース２５の内面に対応して湾曲した板片を用い、該板片の内面に周囲壁３０を設けた状態で凹状の溝３１を区画形成している。スペーサ３Ａの溝３１は、突起１７が溝方向に摺動自在に嵌合する溝幅寸法となっている。これに対し、スペーサ３Ｂの溝３１は、スペーサ３Ａに比べて幅広になっており、突起１７が溝方向及び溝幅方向に摺動自在に遊嵌する溝幅寸法となっている。また、スペーサ３Ａ，３Ｂは、一端側中間に突設された小突起３２と、外面の略中間に突設されたリブ３３とを有している。
【００３６】
次に、筐体１の内部構造を明らかにする。筐体１内に配置される各フィン４は、図５及び図１０に示されるごとく、外周面４０が筐体１の内周面に対応した略円弧状に形成され、内周面４１が略直線状に形成されており、筐体中心軸線Ｎに対して略直角に配置されると筐体１内を４枚で閉鎖状態にする形状となっている。また、外周面４０には、軸穴１８に嵌合する円柱状の突起４４が設けられている。内周面４１には、筒部４５が設けられると共に筒部周囲（この例では筒部の略半周）にギア部４６が形成されている。そして、各フィン４は、軸部４４が筐体１の軸穴１８に嵌合され、筒部４５が筐体中心軸線Ｎ上に配置される軸支部材７の軸部７３に嵌合された状態で回動可能に支持される。
【００３７】
軸支部材７は、図１と図５及び図６に示されるごとく、立方体ないしは六面体である本体７０と、本体７０の一面に突設された円筒状の筒部７１とからなる。本体７０には、筒部７１の内孔と連続するよう設けられた貫通孔７２と、上下及び前後の四面に突設された軸部７３とを有している。筒部７１は、外径が上記筐体の軸支部１５の筒状に嵌合保持される大きさであり、突出端側に設けられた半円状の切欠部７３と、突出端外周囲に突設された突起７４と、突出端面に突設された凸部７５とを有している。
【００３８】
各フィンのギア部４６には、ギア機構を構成している歯車５０が噛み合わされる。歯車５０は、軸支部材の貫通孔７２に回動自在つまり串差し状態に挿通されるシャフト５の先端に設けられている。シャフト５は、後端５１側が所定長さ断面半円状ないしは蒲鉾状に形成されていると共に、図１（ｃ）に示されるごとく蒲鉾状の平板部５２に突設された爪部５３を有している。そして、シャフト５は、後端５１側が爪部５３を介して操作ノブ６に係合連結される。なお、以上の歯車５０とギア部４６とは、交わる２軸間に回転運動を伝達する関係であればよい。通常は、タイマ歯車、ハスバカサ歯車、斜交歯車等のかさ歯車により構成される。
【００３９】
操作ノブ６は、図１及び図６に示されるごとく手で掴む摘部６０及び摘部６０の内側から突設された筒部６２からなる。摘部６０は、有底筒状となっており、軸支部１４の突出端と回動自在に当接する。筒部６２は、内部６６が断面略半円状であり、蒲鉾状の平板部６３を有している。平板部６３には、シャフトの爪部５３が係合される係止穴６４（図１と図３の各（ｃ）を参照）が設けられている。また、筒部６２は、平板部６３を除いた突出端面が円弧端面となっており、該円弧端面に係合部６５ａ〜６５ｃが設けられている。
【００４０】
各係合部６５ａ〜６５ｃは、シャフト側の凸部７５と共に操作ノブ６を回転したときに節度感やクリック感を得られるようにするクリック手段を構成する。この例では、各フィン４が筐体中心軸線Ｎに対し、略平行に配置されたときに凸部７５と係合する第１係合部６５ａと、略斜めに配置されたときに凸部７５と係合する第２係合部６５ｂ、略直角に配置されたときに凸部７５と係合する第３係合部６５ｃを有している。
【００４１】
（組立）以下、以上の各部材の組立手順の一例について説明する。この例では、筐体１に対し軸支部材７に各フィン４を保持した状態で組み込まれた後、シャフト５と操作ノブ６とが組み込まれる。その後、筐体１がケース２に保持操作されることになる。細部は以下の通りである。
【００４２】
まず、各フィン４は、軸支部材７に対し軸部７３に筒部４５を嵌合した状態で保持される。そして、軸支部材７はフィン４付きの状態で筐体１内に組み込まれる。その場合、フィン付き軸支部材７は、図５（ｂ）に示す状態で、筐体１内に押入しようとすると、各軸部４４が途中で筐体後端に当たる。そこで、各軸部４４を、本体７０側へ押圧し、貫通孔７２側への本体７０の縮径変位を伴って筐体内周に押入し、更に対応する軸穴１８に嵌合させる。この過程では、図１（ｂ），（ｃ）に示すごとく筒部７１が軸支部１５の筒内に挿入され、突起７４を縮径しながら軸支部１５の筒内から筒外、つまり軸支部１４の筒内に突出して元の状態に復元される。これにより、軸支部材７は、軸支部１４に対し筒部の突起７４により抜け止めされた状態で保持される。各フィン４は、筐体１内にあって軸部４４と軸部７３を支点として回動自在に保持されている。
【００４３】
上記したシャフト５及び操作ノブ６は、筐体１に対し前記したフィン付き軸支部材７を組み込んだ後、シャフト５が筐体１の後側より軸支部材の貫通孔７２に串差し状に差し込まれ、操作ノブの筒部６２が筐体１の前側から軸支部１４の筒状内に差し込まれる。その際、シャフト５の軸周りには付勢部材８であるコイルバネが配置される。付勢部材８は、シャフト５に保持された状態で歯車５０と軸支部材の本体７０との間に圧縮状態で配置される。それにより、付勢部材８は、シャフト５が操作ノブの係止穴６４に係合連結された状態で、軸支部材７を操作ノブ６側へ付勢している。このため、この構造では、操作ノブ６が回転操作されて、例えば凸部７５と係合している係合部６５ａを係合解除して次の係合部６５ｂに係合すべく切り換えたり、更に係合部６５ｂを係合解除して次の係合部６５ｃに係合すべく切り換えたるときに節度感やクリック感を付与できる。
【００４４】
次に、以上のフィン４等を内蔵した筐体１をケース２に組み込む。この操作では、上記したスペーサ３Ａ，３Ｂが後ケース２０及び前ケース２５に組付けられる。組立手順は、スペーサ３Ａ，３Ｂが後ケース２０に対し組み込まれた後、筐体１を後ケース２０内に配置し、次に後ケース２０に前ケース２５を係合連結することになる。すなわち、まず、スペーサ３Ａ，３Ｂは、小突起３２を係止穴２４ａに係合すると共に後ケース２０の凹所２３ａ，２３ｂに嵌め込まれる。その後、筐体１は、上記したごとく各フィン４等を内蔵した状態で後ケース２０内に組み込まれる。
【００４５】
その際は、筐体の各突起１７が対応するスペーサ３Ａ又は３Ｂの溝３１に嵌合されたり遊嵌される。次に、前ケース２５が後ケース２０に対し小突起２７ａを対応する係止穴２４ｂに係合することで係合連結される。同時に、各スペーサ３Ａ，３Ｂの凹所２３ａ，２３ｂから突出した部分が、前ケース２５の対応する凹所２６ａ，２６ｂに嵌め込まれる。これにより、フィン４等を内蔵した筐体１は、ケース２に対し突起１７が各スペーサの溝３１に嵌合ないしは遊嵌した状態で組み付けられ、図１〜図３及び図７に示される風向調整装置として完成される。
【００４６】
（作動）以下、以上の風向調整装置の主な作動ないしは利点について言及する。
（１）、この装置組立作業においては、上述したごとく図５に示されるごとく筐体中心軸線Ｎ上に設けられる軸支部材７が軟質であると共にシャフト挿通用の貫通孔７２の存在で撓み易くなっているため、軸支部材７がフィン４付きの状態、つまり軸支部材７が各フィン４を軸部７３と筒部４５の嵌合を介して支持した状態で筐体１内に組み込み容易となり、筐体１内への組付け操作性を良好にできる。また、軸支部材７はシャフト５が貫通孔７２に挿通されると撓み難くなるため、各フィン４が不用意に外れたりがたつきの虞も抑えられる。
【００４７】
（２）、装置特徴１としては、ケース２の内周面に設けられた凹所２３ａ，２６ａ及び凹所２３ｂ，２６ｂに配設されて突起１７と摺動可能に嵌合する凹状の溝３１を区画形成している軟質のスペーサ３Ａ，３Ｂを有している。このため、この構造では、以上の風向調整装置が図７に例示されるごとく車体の設置部９に装備された状態において、フィン４等を内蔵した筐体１がケース２に対し同（ａ）の初期姿勢状態から、操作ノブ６を摘んで下又は上へ動かすと同（ｂ）の例のごとく上下首振り状態に傾動調整したり、操作ノブ６を摘んで左又は右へ動かすと同（ｃ）の例のごとく左右首振り状態に傾動調整することができる。こられの傾動調整では、突起１７が軟質のスペース３Ａ，３Ｂの溝３１内を動くことに起因して、突起１７の当て荷重が均一化し易くなったり当て荷重に偏りが少なくなって傾動調整操作を滑らかにでき、傾動作動特性を向上できる。なお、この構造では、軟質のスペーサ３Ａ，３Ｂをケース２に後付けするため、ケース自体を軟質にする場合に比べ剛性確保が容易となり、良好な質感を維持できる。
【００４８】
（３）、装置特徴２としては、各フィン４を内蔵した筐体１が４箇所の突起１７がケース内周面の対応する軟質からなるスペーサ３Ａ，３Ｂの溝３１に沿って摺動されることで、上記したように初期姿勢状態、上下首振り状態、左右首振り状態に切り換えられる。この場合、各スペーサ３Ａ，３Ｂの溝３１が凹状の溝幅寸法を突起と嵌合する狭いものと、突起と遊嵌する広いものとで構成されることにより、溝幅寸法が広い分に対応した多様な傾動状態が得られる。更に、筐体１外周面が凸状球面であり、ケース２内周面がその凸状球面に対応した凹状球面になっていると、ケース２を前後に分割しないと筐体１をケース２内に組込不可能となる。このようにケース２を前後に分割した場合は、凹所２３ａ，２６ａ及び凹所２３ｂ，２６ｂ及びスペーサ３Ａ，３Ｂを前後ケース２５，２０を跨いで配置すると、境界の段差がスペーサ３Ａ，３Ｂにより吸収されて良好な作動を確実に維持できる。
【００４９】
（４）、装置特徴３としては、各フィン４が内側枢支部として筒部４５を有し、該筒部４５の周囲部分にギア部４６を形成するようにしたため、ギア部４６を形態例のごとく精度よく形成容易となる。また、軸支部材７の軸部７３と筒部４５との嵌合も簡明なものとなり、また軟質の軸部７３が筒部４５に嵌合しているため各フィン４の回動特性も良好となる。
【００５０】
（５）、装置特徴４としては、操作ノブ６の回転操作により軸支部材の凸部７５と係合する係合部６５ａ〜６５ｃを切り換えて各フィン４の向きを可変するため、回転操作時の節度感やクリック感が得られ、それにより回転操作性が良好となり高級感を付与できる。すなわち、各フィン４は図１と図８の通常通風状態、図２と図９の拡散通風状態、図３と図１０の閉鎖状態と順に切り換えられたり、逆に前記閉鎖状態、前記拡散通風状態、前記通常通風状態に順に切り換えられることから通風状態の選択切り換えを簡明にできる。以上の係合部６５ａ〜６５ｃは、形態例のごとく３つで構成したが、例えば、係合部を６つで構成して、操作ノブ６を回転して凸部７５と係合する係合部を順に切り換えることにより、各フィン４をより多様な状態に切換可能にしてもよい。
【００５１】
（６）、装置特徴５としては、軸支部材７を操作ノブ６へ付勢している付勢部材８により、操作ノブ６と軸支部材７との間の遊びを吸収してがたつきをなくしたり、付勢部材８として最適な付勢力のもを選ぶことで操作ノブ６の回転力や当たりを最適化し易くなる。
【００５２】
なお、本発明の風向調整装置は、請求項１で特定される構成を備えておればよく、細部は以上の説明を参考にして変更したり展開可能なものである。その例として、ケースとしては化粧枠を廃止したり前ケースに化粧枠部分を一体に形成することである。付勢部材は省略したり、軸支部材と歯車形成部との対向部分に付勢力を発生する弾性部分を設けるようにすることである。凸部及び係合部はクリック手段を構成するものであるが、廃止して簡略化してもよい。また、クリック手段としては、凸部を操作ノブに設け、凸部と係脱する係合部を軸支部材に設けるようにしてもよい。スペーサは、凹状の溝の溝幅寸法が異なる２種のもので構成したが、同じ溝幅寸法のもので構成するようにしても差し支えない。
【符号の説明】
【００５３】
１・・・・・・・筐体（１ａは空気吹出口、１ｂは空気導入口）
２・・・・・・・ケース（２０は後ケース、２５は前ケース、２８は化粧枠）
３Ａ，３Ｂ・・・スペーサ（３０は周囲壁、３１は溝、３２は小突起）
４・・・・・・・フィン（４０は外周面、４１は内周面）
５・・・・・・・シャフト（５１は後端、５３は爪部）
６・・・・・・・操作ノブ（操作部、６０は摘部）
７・・・・・・・軸支部材（７０は本体、７１は筒部、７２は貫通孔）
８・・・・・・・付勢部材
９・・・・・・・車体の設置部
１７・・・・・・突起
１８・・・・・・軸穴（外側枢支部）
２３ａ・・・・・凹所
２３ｂ・・・・・凹所
４４・・・・・・軸部（外側枢支部）
４５・・・・・・筒部（内側枢支部）
４６・・・・・・ギア機構を構成しているフィン側のギア部
５０・・・・・・ギア機構を構成しているシャフト側の歯車
６２・・・・・・筒部
６３・・・・・・平板部（６４は係止穴）
６５ａ・・・・・第１係合部（係合部）
６５ｂ・・・・・第２係合部（係合部）
６５ｃ・・・・・第３係合部（係合部）
７３・・・・・・軸部（連結部）
７４・・・・・・突起
７５・・・・・・凸部
【図１】
2018002041.tif 000003
【図２】
2018002041.tif 000004
【図３】
2018002041.tif 000005
【図４】
2018002041.tif 000006
【図５】
2018002041.tif 000007
【図６】
2018002041.tif 000008
【図７】
2018002041.tif 000009
【図８】
2018002041.tif 000010
【図９】
2018002041.tif 000011
【図１０】
2018002041.tif 000012
【図１１】
2018002041.tif 000013
【図１２】
2018002041.tif 000014